(57)【要約】      （修正有）【課題】スリット開口から放出される水流の散水方向に設定できると共に散水の均一性を実現したうえに配管施工の容易化を図り、維持管理やイニシャルコストを削減した解氷蓄熱槽の技術を提供する。【解決手段】解氷蓄熱槽の内底面部上面には解氷水配管４としての転がし配管を周設しかつ敷設している。解氷蓄熱槽に配管された該解氷水配管４の内周部分から任意の位置に分岐して該解氷蓄熱槽の内側の４隅に該解氷蓄熱槽の内壁面に沿って又は、該内壁面に密着して４本の断面略円形状の散水管５を立設している。当該散水ヘッド５Ａは図示するように５段に区分され、その各段に上記解氷蓄熱槽の略中央方向に開口を向けて形成した所定長のスリット開口５ａないし５ｅを穿設する。【選択図】図３
2006162146.tif 000002
【特許請求の範囲】
【請求項１】
解氷蓄熱槽の内底面部に周設した解氷水配管と、該解氷水配管から該解氷蓄熱槽の内壁面に沿って所望数本を分岐立設して配置した散水管と、前記解氷蓄熱槽内に介装した蓄氷の蓄氷面及び該解氷蓄熱槽の上端で形成した気相部分に前記散水管の一部を構成すると共に複数段であってかつ該解氷蓄熱槽の略中央方向に開口を向けて所望数のスリット開口を形成した散水ヘッドと、前記解氷蓄熱槽の内底面部に配置すると共に前記蓄氷の融解による冷水を取出す冷水取出配管とでなることを特徴とするスリット開口の散水管を備えた解氷蓄熱槽。
【請求項２】
前記解氷蓄熱槽は、略矩形状の箱体で構成され、その内側の４隅に前記散水管を立設して配置構成したことを特徴とする請求項１記載のスリット開口の散水管を備えた解氷蓄熱槽。
【請求項３】
前記解氷蓄熱槽は、略矩形状の箱体で構成され、その内壁面に前記散水管を立設して配置構成したことを特徴とする請求項１記載のスリット開口の散水管を備えた解氷蓄熱槽。
【請求項４】
前記解氷蓄熱槽は、略円筒状の箱体で構成され、その内壁面に所定間隔を有して前記散水管を立設して配置したことを特徴とする請求項１記載のスリット開口の散水管を備えた解氷蓄熱槽。
【請求項５】
前記スリット開口は、前記散水ヘッドの中心から略９０°の角度の範囲であって、所定長の横幅及び縦幅を有しかつ単一又は複数横列に形成したことを特徴とする請求項１記載のスリット開口の散水管を備えた解氷蓄熱槽。
【請求項６】
前記スリット開口は、前記散水ヘッドの中心から略１８０°の角度の範囲であって、所定長の横幅及び縦幅を有しかつ単一又は複数横列に形成したことを特徴とする請求項１記載のスリット開口の散水管を備えた解氷蓄熱槽。
【請求項７】
前記スリット開口は、略矩形状又は菱形形状で構成されたことを特徴とする請求項１記載のスリット開口の散水管を備えた解氷蓄熱槽。
【発明の詳細な説明】
【技術分野】
【０００１】
本発明は、解氷蓄熱槽の内底面部に転がし配管（解氷水配管）を周設配置すると共に該転がし配管から複数本であって、当該解氷蓄熱槽の上方の気相部分に複数段のスリット開口を形成した散水管を備えた解氷蓄熱槽に係り、特に、解氷への水平散水技術に関するものである。
【背景技術】
【０００２】
一般的に、氷蓄熱は高密度・高エクセルギーの冷熱を蓄熱するが、冷熱を取り出す際には氷の融解が必要となる。熱負荷に対して十分に潜熱冷却される状態、つまり解氷が良好に行われる状態であれば、氷蓄熱槽からの取出冷水温度は0（℃）に近い温度となる。解氷が有効に行われない場合は、氷蓄熱槽からの取出冷水温度は上昇する。該取出冷水温度を上昇させる要因として、氷を融解させる解氷水の内、氷の融解に関与せずに、取出冷水に混入するバイパス流の存在がある。該バイパス流は氷量が少なくなるほど生じやすく、解氷水温度が高いほど該取出冷水温度は上昇する。このためバイパス流の影響を小さくするために、スプレーノズルによる均一散水方法や攪拌装置による氷蓄熱槽内を攪拌することが行われているが、施工性、維持管理、省エネルギー性やイニシャルコスト等の点で問題がある。
そして、当該従来の技術は、例えば、略矩形状の箱体で構成した氷蓄熱槽を有し、その解氷蓄熱槽から散水管を立上げ構成し、該氷蓄熱槽から冷水取出口を取出している。
【０００３】
ところで、当該従来の技術は図７（ａ）、（ｂ）及び図８に示すように散水管１が氷蓄熱槽２の中心方向に向けて、具体的には例えば９０°の範囲であって、所望数かつ互いが７．９（ｍｍ）、つまり、散水管１の中心から角度１５°の間隔を有して図７（ｂ）で示すように４段の複数段に略円形状の散水孔１ａ、１ａ…を形成している。ここで、図７（ａ）は（ｂ）の矢視Ａ−Ａ線方向の断面図及び図７（ｂ）は散水管１に於ける氷蓄熱槽２の中心から見た側面図を示している。
而して、当該従来の技術によれば図８に示すように、散水方向の異なる噴流Ｂは、到達距離が長くなると噴流Ｂの相互間の距離が広がる。このために大容量の氷蓄熱槽２では、散水管１から離れた位置、すなわち、氷蓄熱槽２の中央部等で氷Ｃと噴流Ｂが接触しない箇所Ｃ１が生じ、バイパス流が増大し、氷Ｃの融解作用への影響が大きくなる。これを解消するためには、散水孔１ａを増設する方法が考えられ、噴流Ｂの均一性を確保することより小径の孔で形成した散水孔１ａを多く設け、例えば、シャワー散水とする必要がある。ところがこのシャワー散水は散水管１のヘッド部分の製作が煩雑となると共に、圧力損失の増大や散水孔１ａの目詰まり等が誘発されることがあった。
【０００４】
また、この種の従来の技術としては、特開２００１−２５４９７３号に開示した技術がある。かかる従来の技術は氷蓄熱槽の上方に支柱を設け、又この支柱に散水管に連結する配管を設備すること及び散水管に別異の平板等で構成する水平吹出体を垂下して設ける構成であった。
【特許文献１】特開２００１−２５４９７３号公開特許公報
【発明の開示】
【発明が解決しようとする課題】
【０００５】
従来の技術によれば、氷蓄熱槽内の氷の融解や解氷作用が有効に行なわれずバイパス流の増大による所望の冷水取出温度が確保できないこと、また、図７（ａ）、（ｂ）及び図８に示す構成による散水方向の異なる噴流は、到達距離が長くなり該噴流の相互間の距離が広がり、大容量の氷蓄熱槽では、散水管から離れた位置で氷と噴流が接触しない箇所が生じバイパス流は増大することとなり叙上と同様の問題点が存し、また一方、小径の孔で形成した散水孔を多く設けたシャワー散水や撹拌装置で氷蓄熱槽内を撹拌する技術とすれば、噴流の均一性が確保できるが散水管１のヘッド部分の製作が煩雑となると共に、施工性、維持管理、省エネルギー性及びイニシャルコスト等の点で問題があり、また、圧力損失の増大や散水孔の目詰まりの危険性がある。さらに、散水管のヘッド部分をスプレーノズルとして均一な噴流にする技術によれば、散水重点部の設定が困難となり、蓄氷量の少なくなる解氷後半ではバイパス流が増大し、氷の融解作用に悪影響を及ぼすという問題点があった。また、特開２００１−２５４９７３号に開示した技術によれば、氷蓄熱槽内の配管施工が複雑かつ施工工数が増大すると共に特異な構成を有する水平吹出体を別置する必要があった。本発明はかかる問題点を解決することを課題とするものである。
【課題を解決するための手段】
【０００６】
本発明に係るスリット開口の散水管を備えた解氷蓄熱槽は、噴流による水平散水方式を採用し、散水重点箇所の任意設定を行ない、解氷蓄熱槽内の配管の省施工性を実現した散水の均一性を改善すると共にバイパス流を少なくし、大容量の解氷蓄熱槽においても所望の取出冷水温度を確保できるうえ、スリット開口による多数の散水孔を散水ヘッドに容易に製作できる技術であって、次の構成、手段から成立する。
【０００７】
すなわち、請求項１記載の発明によれば、解氷蓄熱槽の内底面部に周設した解氷水配管と、該解氷水配管から該解氷蓄熱槽の内壁面に沿って所望数本を分岐立設して配置した散水管と、前記解氷蓄熱槽内に介装した蓄氷の蓄氷面及び該解氷蓄熱槽の上端で形成した気相部分に前記散水管の一部を構成すると共に複数段であってかつ該解氷蓄熱槽の略中央方向に開口を向けて所望数のスリット開口を形成した散水ヘッドと、前記解氷蓄熱槽の内底面部に配置すると共に前記蓄氷の融解による冷水を取出す冷水取出配管とでなることを特徴とする。
【０００８】
請求項２記載の発明によれば、請求項１記載の発明に於いて、前記解氷蓄熱槽は、略矩形状の箱体で構成され、その内側の４隅に前記散水管を立設して配置構成したことを特徴とする。
【０００９】
請求項３記載の発明によれば、請求項１記載の発明に於いて前記解氷蓄熱槽は、略矩形状の箱体で構成され、その内壁面に前記散水管を立設して配置構成したことを特徴とする。
【００１０】
請求項４記載の発明によれば、請求項１記載の発明に於いて、前記解氷蓄熱槽は、略円筒状の箱体で構成され、その内壁面に所定間隔を有して前記散水管を立設して配置したことを特徴とする。
【００１１】
請求項５記載の発明によれば、請求項１記載の発明に於いて、前記スリット開口は、前記散水ヘッドの中心から略９０°の角度の範囲であって、所定長の横幅及び縦幅を有しかつ単一又は複数横列に形成したことを特徴とする。
【００１２】
請求項６記載の発明によれば、請求項１記載の発明に於いて、前記スリット開口は、前記散水ヘッドの中心から略１８０°の角度の範囲であって、所定長の横幅及び縦幅を有しかつ単一又は複数横列に形成したことを特徴とする。
【００１３】
請求項７記載の発明によれば、請求項１記載の発明に於いて、前記スリット開口は、略矩形状又は菱形形状で構成されたことを特徴とする。
【発明の効果】
【００１４】
本発明に係るスリット開口の散水管を備えた解氷蓄熱槽は、叙上した構成手段を備えたので次の効果を奏する。
すなわち、請求項１記載の発明によれば、解氷蓄熱槽の内底面部に周設した解氷水配管と、該解氷水配管から該解氷蓄熱槽の内壁面に沿って所望数本を分岐立設して配置した散水管と、前記解氷蓄熱槽内に介装した蓄氷の蓄氷面及び該解氷蓄熱槽の上端で形成した気相部分に前記散水管の一部を構成すると共に複数段であってかつ該解氷蓄熱槽の略中央方向に開口を向けて所望数のスリット開口を形成した散水ヘッドと、前記解氷蓄熱槽の内底面部に配置すると共に前記蓄氷の融解による冷水を取出す冷水取出配管とでなることを特徴とするスリット開口の散水管を備えた解氷蓄熱槽を提供する。
このような構成としたので、スリット開口から放出される主散水流の散水方向や散水重点箇所又は散水集中箇所を任意に設定できると共に散水の均一性を実現したうえに配管の施工を容易にし、その維持管理やイニシャルコストを削減し、さらに、解氷水配管を解氷蓄熱槽の内底面部に配管したことによる放熱損の低減化等省エネルギー化の要請に適応させ、所望の温度の冷水を取出すことができる効果がある。
【００１５】
請求項２記載の発明によれば、前記解氷蓄熱槽は、略矩形状の箱体で構成され、その内側の４隅に前記散水管を立設して配置構成したことを特徴とする請求項１記載のスリット開口の散水管を備えた解氷蓄熱槽を提供する。
このような構成としたので、請求項１記載の効果に加えて、蓄氷面直上の主散水流は常に、蓄氷面に放出させて、該蓄氷を融解すると共に蓄氷量が少ない状態でもバイパス流の低減が図られ、かつ取出冷水温度の安定化を図る効果がある。
【００１６】
請求項３記載の発明によれば、前記解氷蓄熱槽は、略矩形状の箱体で構成され、その内壁面に前記散水管を立設して配置構成したことを特徴とする請求項１記載のスリット開口の散水管を備えた解氷蓄熱槽を提供する。
このような構成としたので、請求項１記載の効果に加えて、蓄氷面直上の主散水流は常に、解氷蓄熱槽の中心に向って放出させて、該蓄氷を融解すると共に蓄氷量が少ない状態でもバイパス流の低減が図られ、かつ取出冷水温度の安定化を図る効果がある。
【００１７】
請求４記載の発明によれば、前記解氷蓄熱槽は、略円筒状の箱体で構成され、その内壁面に所定間隔を有して前記散水管を立設して配置したことを特徴とする請求項１記載のスリット開口の散水管を備えた解氷蓄熱槽を提供する。
このような構成としたので、請求項１記載の効果に加えて、蓄氷面直上の主散水流は常に、解氷蓄熱槽の中心に向って放出させて、該蓄氷を融解すると共に蓄氷量が少ない状態でもバイパス流の低減が図られ、かつ取出冷水温度の安定化を図る効果がある。
【００１８】
請求項５記載の発明によれば、前記スリット開口は、前記散水ヘッドの中心から略９０°の角度の範囲であって、所定長の横幅及び縦幅を有しかつ単一又は複数横列に形成したことを特徴とする請求項１記載のスリット開口の散水管を備えた解氷蓄熱槽を提供する。
このような構成としたので、請求項１記載の効果に加えて、簡単な構成に基づくスリット開口や散水ヘッドの製作工数を削減したうえに、シャワー散水方式を廃止したことによるスリット開口部の圧力損失の増大及び目詰まり現象を防止する効果がある。
【００１９】
請求項６記載の発明によれば、前記スリット開口は、前記散水ヘッドの中心から略１８０°の角度の範囲であって、所定長の横幅及び縦幅を有しかつ単一又は複数横列に形成したことを特徴とする請求項１記載のスリット開口の散水管を備えた解氷蓄熱槽を提供する。
このような構成としたので、請求項１記載の効果に加えて、簡単な構成に基づくスリット開口や散水ヘッドの製作工数を削減したうえに、シャワー散水方式を廃止すると共に主散水流を１８０°の角度まで広範囲に放出することができるうえ、スリット開口部の圧力損失の増大及び目詰まり現象を防止する効果がある。
【００２０】
請求項７記載の発明によれば、前記スリット開口は、略矩形状又は菱形形状で構成されたことを特徴とする請求項１記載のスリット開口の散水管を備えた解氷蓄熱槽を提供する。
このような構成としたので、請求項１記載の効果に加えて、解氷蓄熱槽の主散水流の速度及び解氷速度等の設計仕様に応じてスリット開口の形状を各種形状に選定して散水ヘッドに形成することができる効果がある。
【発明を実施するための最良の形態】
【００２１】
以下、本発明に係るスリット開口の散水管を備えた解氷蓄熱槽の実施の形態について、添付図面に基づき詳細に説明する。
【００２２】
図１は、本発明に係るスリット開口の散水管を備えた解氷蓄熱槽を示す図面であって、図２の矢視Ｄ−Ｄ線方向の断面図であり、図２は、本発明に係るスリット開口の散水管を備えた解氷蓄熱槽の側面図を示す。図３は、本発明に係る解氷蓄熱槽の内底面部に周設した解氷水配管に接続すると共に該解氷蓄熱槽の内側の４隅に設置した散水管の構造を示す図面であり、（ａ）は（ｂ）の矢視Ｅ−Ｅ線方向の断面図、（ｂ）は当該散水管に於ける解氷蓄熱槽の略中心方向から見た側面図である。
【００２３】
３は、例えば、略矩形状の箱体で構成した解氷蓄熱槽である。この解氷蓄熱槽３の内底面部３ａ上面には図２に示すように外部取入口４ａを有し、解氷水配管４としての転がし配管を周設しかつ敷設している。該解氷水配管４は蓄氷６が融解して生成された冷水の中に配置してあって、放熱損を低減している。また、この解氷水配管４の槽内底面部３ａに於ける配管施工や配管支持固定が容易となる特長を備えている。該解氷水配管４の一部、例えば、解氷蓄熱槽３に配管された内周部分から任意の位置に分岐して該解氷蓄熱槽３の内側の４隅に該解氷蓄熱槽３の内壁面３ｃに沿って又は、該内壁面３ｃに密着して４本の例えば、断面略円形状の散水管５を立設している。
尚、解氷蓄熱槽３は上記形状に限定されるものではなく、例えば、円筒形の箱体で構成する場合は、上記散水管５は、所定間隔を置いて複数本その内周壁に沿って立設し又は、該内壁面３ｃに密着して構成する。
【００２４】
上記解氷蓄熱槽３内には蓄氷６が介装・収容されており、その蓄氷面６ａと該解氷蓄熱槽３の上端３ｂ間は気相Ｆが形成され、この気相Ｆ部分に上記散水管５の一部を構成する散水ヘッド３Ａが散水管５の本体から穿設配置されている。
【００２５】
７は冷水取出配管であって、断面形状が例えば円形であり、上記解氷蓄熱槽３の内底面３ａの近傍に配管されており、該解氷蓄熱槽３内の蓄氷６が融解した際に、外部に冷水を取出すためのものである。そして、その一端部は該解氷蓄熱槽３の内底面３ａ上面であって、その垂直方向の略中心部から突出した冷水取出口７ａを備え、蓄氷６が融解して生成された冷水が垂下した後、該冷水を該解氷蓄熱槽３から外部へ取出し易く構成してある。そして、その他端部は、外部流出口７ｂを形成し、該解氷蓄熱槽３の内壁面３ｃを貫通して負荷（図示せず）に接続されている。また、前記解氷水配管４の外部取出口４ａと前記冷水取出配管７の冷水取出口７ａは該解氷蓄熱槽３の下面から図２に示すように略同一高さに設定し、配管施工の便宜さと本発明の構成のシンプル化を実現している。
【００２６】
図３（ａ）、（ｂ）に基づき、散水管５の一部を構成する散水ヘッド５Ａの構造等を説明する。
当該散水ヘッド５Ａは例えば、上記散水管５から一体物として成形されてなり、図示するように５段に区分され、その各段に上記解氷蓄熱槽３の略中央方向に開口を向けて形成した所定長のスリット開口５ａないし５ｅを穿設する。このスリット開口５ａないし５ｅは簡単かつ容易に該散水ヘッド５Ａに切削加工又はプレス加工等により成形でする。而して、例えば、第１段目及び第２段目のスリット開口５ａ、５ｂは縦幅２〜３（ｍｍ）程度であって散水ヘッド５Ａの中心Ｏからそれぞれ略９０°の角度まで、第３段目のスリット開口５ｃは同じく同幅であって、該散水ヘッド５Ａの中心から略７５°の角度まで、第４段目のスリット開口５ｄは同じく同幅であって、該散水ヘッド５Ａの中心から略６０°の角度まで、及び第５段目のスリット開口５ｅは同じく同幅であって、該散水ヘッド５Ａの中心から略４５°の角度まで、それぞれ切欠き、穿孔されている。このスリット開口５ａないし５ｅの実施の形態は単一のものを示したが本発明はこれに限定されず散水ヘッド５Ａの横方向、つまり円周方向に互に所定間隔を有しかつスリット開口の横幅を適宜選択して複数個列設してもよい。
【００２７】
次に、本発明に係るスリット開口の散水管を備えた解氷蓄熱槽の動作等を図４（ａ）、（ｂ）及び図５（ａ）、（ｂ）に基づき説明する。
【００２８】
本発明は解氷水の水平散水技術であり、該水平散水技術は解氷蓄熱槽３の内側の４隅や内壁面３ｃから蓄氷６の垂直中心方向、つまり矢印Ｇ方向に散水する。そして、冷水取出口７ａは解氷蓄熱槽３の中心部分あるいは該解氷蓄熱槽３の垂直方向の中心線上の槽内底面部３ａに設置してあり、図５（ａ）、（ｂ）に示す主散水流Ｈの放出方向は、冷水取出口７ａの上方に一致することとなり、その冷水流Ｊは冷水取出口７ａに吸込まれ易く構成している。蓄氷６は図４（ｂ）に示すように解氷蓄熱槽３内で水に浮いた状態となっており、図５（ａ）、（ｂ）に示すように蓄氷面６ａの直上の主散水流Ｈは常に蓄氷６と接触し、融解する。解氷蓄熱槽３の内にある蓄氷６の下面又は該解氷蓄熱槽３の上部から冷水取出口７ａへの冷水流Ｊによって、氷量が少なくなった状態でも主散水流Ｈの前面には常に蓄氷６が存在し、バイパス流の低減が計られている。
【００２９】
そして、本発明に係る実施の形態による解氷蓄熱槽３によれば、該解氷蓄熱槽３の内底面部３ａに配置した解氷水配管４の外部取入口４ａから解氷水を散水管５に流送し、蓄氷面６ａ上に配置された散水ヘッド５Ａの各スリット開口５ａないし５ｅより主散水流Ｈが解氷蓄熱槽３内に散水される。この散水は噴流となり、例えば、各スリット開口５ａないし５ｅの位置と数により、該噴流の方向と散水重点箇所又は散水集中箇所を任意に設定できる。而して、蓄氷６の融解が良好に行なわれ、冷水流Ｊが冷水取出口７ａから該冷水取出配管７を介して流送され外部取出口７ｂを経由して負荷に流送される。
【００３０】
上述したように散水ヘッド５Ａは複数のスリット開口５ａ〜５ｅを有しており主散水流Ｈは、スリット開口５ａ〜５ｅの散水ヘッド５Ａの各段の位置やスリット開口の横幅長の程度でその方向と角度及び範囲等を調整することができる。従って、スリット開口５ａ〜５ｅは図３（ａ）、（ｂ）に示すように５段に限定するものではなく任意の間隔で適宜の複数段設けることで、到達距離の異なる複数の主散水流Ｈが得られる。スリット開口５ａ〜５ｅからの主散水流Ｈはその開口近くでは水膜状散水となり、それより先は水滴状散水となり、均一な分布散水が可能である。
【００３１】
この発明によれば、噴流による水平散水技術に基づく散水方向又は散水角度と蓄氷６に於ける散水重点箇所又は集中箇所を任意に設定でき、解氷蓄熱槽３内の配管の省施工性を実現すると共に散水の均一性を実現することができる。殊に、大容量の解氷蓄熱槽３においても取出冷水温度が安定した冷水を取出すことが確保できた。
【００３２】
尚、上述に於いて、散水管５は、解氷蓄熱槽３に配管された内周部分から任意の位置に分岐して該解氷蓄熱槽３の内側の４隅に立設した構成について説明したが、当該散水管は前記解氷蓄熱槽３の形状が長方形である場合、その一辺又は各辺の内壁面３ｃに沿って又は該内壁面３ｃに密着して複数本を立設した構成でもよい。そして、該散水管５の散水ヘッド５Ａに中心から略１８０°の角度の範囲にスリット開口５ａないし５ｅを形成することとし、主散水流Ｈを約１８０°の角度の範囲まで広範囲に解氷蓄熱槽３内に散水することができる。また、上記スリット開口５ａないし５ｅの形状は矩形状について開示したが、本発明はこれに限定するものではなく、菱形形状やその他各種の形状でも差支えないものであり、解氷蓄熱槽の主散水流の速度及び解氷速度等の設計仕様に応じてスリット開口の形状を各種形状に選定して散水ヘッドに形成する。
【００３３】
因みに、本発明に係るスリット開口の散水管を備えた解氷蓄熱槽の実施の形態の好適なスリット開口５ａ〜５ｅの設定条件としては、試算したところ、有効容量３０（ｍ３）の解氷蓄熱槽３に於いて、散水管５の散水ヘッド５Ａの直径が６０（ｍｍ）であって、第１段目から第４段目までのそれぞれの高さ（間隔）が１００（ｍｍ）、第４段目と第５段目間の高さ（間隔）が７５（ｍｍ）に区分し、該スリット開口５ａ〜５ｅの縦幅（高さ）が３（ｍｍ）、各スリット開口５ａ〜５ｅの横幅長はそれぞれ４７．４（ｍｍ）ないし２３．７（ｍｍ）であった。
【００３４】
次に、解氷時間（ｍｉｎ）に対する解氷水温度（℃）に於ける解氷特性を示す図６に基づき、本発明に係るスリット開口の散水管を備えた解氷蓄熱槽の利点を明らかにする。
図６は上述した条件を備えた解氷蓄熱槽６に基づき従来の技術と本発明の技術とを比較し、その実測データをもとに作成した特性図である。
この実測データは両者の取出冷水温度及び解氷水温度と取出冷水温度との温度差を示すものである。
図中、Ｔ１は本発明の場合に於ける取出冷水温度、Ｔ２は従来の場合に於ける取出冷水温度、Ｔ１０は本発明の場合に於ける解氷水温度と取出冷水温度との温度差（単に「本発明の取出温度差」という）、Ｔ２０は従来の場合に於ける解氷水温度と取出冷水温度との温度差（単に「従来の取出温度差」という）、ｔ１は本発明の場合に於ける定常運転時間、ｔ２は従来の場合に於ける定常運転時間である。
【００３５】
ここで、両者は同じ製氷装置や略矩形状の箱体でなる解氷蓄熱槽３（３０m３）を使用し、解氷水流量５００（L／ｍｉｎ）にて解氷を行ない、散水管５は解氷蓄熱槽３の内壁面３ｃの４隅に計４本を配置した。
尚、この実測データでは取出温度差が一定となるように解氷熱量を調整した。
【００３６】
図６に示す解氷特性に於いて、スリット開口５ａないし５ｅによる本発明の取出温度差Ｔ１０は約１０（℃）であって、従来の技術のそれに比べ１．５（℃）程度高く、蓄氷６の解氷開始の立ち上がりに要する時間も短いため、従来の技術に比べ、取出冷水温度Ｔ１が上昇しやすい条件となる。
【００３７】
両者とも取出冷水温度Ｔ１、Ｔ２は、蓄氷６の解氷開始から徐々に上昇し、その後、つまり、解氷開始から解氷時間６０（ｍｉｎ）からはほぼ一定温度すなわち２（℃）又は３．５（℃）となる。
ここに於いて、一般的に取出冷水温度Ｔ１、Ｔ２が安定した解氷蓄熱槽３の定常運転時間帯に冷水を取出すことが要請される。従って、図６に示すように従来の技術では蓄氷６の解氷開始から約１２０（ｍｉｎ）ないし２１０（ｍｉｎ）の時間帯が定常運転時間ｔ２とされ、本発明では蓄氷６の解氷開始から約６０（ｍｉｎ）ないし１００（ｍｉｎ）の時間帯が定常運転時間ｔ２とされる。
【００３８】
而して、本発明によれば、冷水取出が従来の技術に比較し、早期であってかつ約１．５（℃）も低い温度差を有する冷水を取出すことが可能となった。そして、この定常解氷時での取出冷水温度Ｔ１が低く、温度変動の少ない解氷方式が解氷特性に優れていると判断され、本発明が従来の技術に比較して優れていることが判明した。解氷蓄熱槽３内の蓄氷６が減少する解氷後半では、潜熱による冷熱供給が少なくなり、取出冷水温度Ｔ１は上昇するが、負荷側が必要とする冷水温度Ｔ１の上限値以下で氷が完全に融解することが必要である。
【００３９】
尚、両者ともに取出冷水温度Ｔ１、Ｔ２の温度差が６（℃）以下となれば解氷蓄熱槽３内の蓄氷６が完全に融解することが確認された。
【００４０】
尤も本発明による解氷蓄熱槽３は解氷水の搬送動力を低減させるため、冷水取出温度差Ｔ１を大きくとり、循環水量を小さくすることが望ましい。また、空調システムに於ける用途だけではなく産業の分野の用途においても本発明を有効に利用するためには３（℃）以下のチルド冷水が安定的に取り出せることが要請される。冷水取出温度差Ｔ１の大きい条件では、バイパス流の影響を受けやすく、冷水出口温度は上昇しやすい傾向となることが判明した。
【図面の簡単な説明】
【００４１】
【図１】本発明に係るスリット開口の散水管を備えた解氷蓄熱槽の実施の形態を示す図面であって、図２の矢視Ｄ−Ｄ線方向の断面図である。
【図２】本発明に係るスリット開口の散水管を備えた解氷蓄熱槽の実施の形態を示す側面図である。
【図３】本発明に係るスリット開口の散水管を備えた解氷蓄熱槽の実施の形態を示すものであり、解氷蓄熱槽内に配管した散水管の構造を示す図面であって、（ａ）は（ｂ）の矢視Ｅ−Ｅ線方向の断面図、（ｂ）は散水管に於ける解氷蓄熱槽の略中心方向から見た側面図である。
【図４】本発明に係るスリット開口の散水管を備えた解氷蓄熱槽の実施の形態を示すものであり、散水ヘッドからの散水方向を示す図面であって、（ａ）は該解氷蓄熱槽の平面図、（ｂ）は（ａ）の側面図である。
【図５】本発明に係るスリット開口の散水管を備えた解氷蓄熱槽の実施の形態を示すものであり、蓄氷の融解状態を示す図面であって、（ａ）は該解氷蓄熱槽の平面図、（ｂ）は（ａ）の側面図である。
【図６】本発明と従来の技術の解氷特性を示す図面であって、蓄氷の解氷時間（ｍｉｎ）に対する解氷温度（℃）の特性図である。
【図７】従来の技術に於ける氷蓄熱槽に配設した散水管の構造の一例を示すものであって、（ａ）は（ｂ）の矢視Ａ−Ａ線方向の断面図、（ｂ）は（ａ）の側面図である。
【図８】従来の技術に於ける氷蓄熱槽の場合の散水管による散水状態を示す平面図である。
【符号の説明】
【００４２】
３      解氷蓄熱槽
３ａ    解氷蓄熱槽の内底面部
３ｂ    解氷蓄熱槽の上端
３ｃ    解氷蓄熱槽の内壁面
４      解氷水配管
４ａ    解氷水配管の外部取入口
５      散水管
５Ａ    散水管の散水ヘッド
５ａないし５ｅ  スリット開口
６      蓄氷
６ａ    蓄氷の蓄氷面
７      冷水取出配管
７ａ    冷水取出配管の冷水取出口
７ｂ    冷水取出配管の外部流出口
Ｈ      主散水流
Ｊ      冷水流
Ｔ１    本発明の取出冷水温度
Ｔ２    従来の技術の取出冷水温度
Ｔ１０  本発明の取出温度差
Ｔ２０  従来の技術の取出温度差
ｔ１    本発明の場合の定常運転時間
ｔ２    従来の場合の定常時間
【図１】
2006162146.tif 000003
【図２】
2006162146.tif 000004
【図３】
2006162146.tif 000005
【図４】
2006162146.tif 000006
【図５】
2006162146.tif 000007
【図６】
2006162146.tif 000008
【図７】
2006162146.tif 000009
【図８】
2006162146.tif 000010